(57)【要約】【課題】紙幣束を結束して結束紙幣を作成する紙幣処理装置において、異なる幅のテープに対応可能な構成を実現する。【解決手段】紙幣処理装置１００は、結束紙幣を作成するように構成された結束手段と、テープリール９１が回転可能にセットされるように構成されたテープセット部９１０と、テープセット部から引き出したテープ９０を、結束手段に供給するように構成されたテープ供給部９２０と、を備える。テープ供給部は、結束手段に供給する送り方向と、当該送り方向とは逆方向の戻し方向との双方に走行するテープの走行位置を、当該テープの幅方向について規制するテープ規制部材９２２を有していて、テープセット部にセットされたテープの幅に応じて、テープ規制部材の規制位置を変更する。【選択図】図５
2014182486.tif 000002
【特許請求の範囲】
【請求項１】
紙幣束の所定位置をテープで結束することによって結束紙幣を作成するように構成された結束手段と、
前記テープがロール状に巻かれたテープリールが回転可能にセットされるように構成されたテープセット部と、
前記テープセット部から引き出したテープを、前記結束手段に供給するように構成されたテープ供給部と、を備え、
前記テープ供給部は、前記結束手段に供給する送り方向と、当該送り方向とは逆方向の戻し方向との双方に走行する前記テープの走行位置を、当該テープの幅方向について規制するテープ規制部材を有していて、前記テープセット部にセットされた前記テープの幅に応じて、前記テープ規制部材の規制位置を変更するように構成されている紙幣処理装置。
【請求項２】
前記テープ供給部は、前記テープに対し情報を付加するように構成された情報付加手段をさらに有し、
前記情報付加手段は、前記テープ規制部材が前記テープの走行位置を規制している箇所において、前記テープに前記情報を付加する請求項１に記載の紙幣処理装置。
【請求項３】
前記テープ規制部材は、その配置位置を変更可能に構成されており、
前記テープ供給部は、前記テープの幅に応じて、前記テープ規制部材を配置する位置を変更する請求項１又は２に記載の紙幣処理装置。
【請求項４】
前記テープ規制部材は、各々のテープの幅に対応する複数種類を含んでおり、前記複数種類のテープ規制部材は、前記テープ供給部に対して択一的に取り付け可能に構成され、
前記テープ供給部には、前記テープの幅に対応する前記テープ規制部材が取り付けられている請求項１又は２に記載の紙幣処理装置。
【請求項５】
前記テープ供給部は、前記テープ規制部材の配置位置を変更させるよう構成された変更手段をさらに有しており、
前記変更手段は、前記テープセット部にセットされた前記テープの幅に応じて、前記テープ規制部材の配置位置を自動的に変更する請求項１又は２に記載の紙幣処理装置。
【請求項６】
前記テープセット部にセットされた前記テープの幅を検知するように構成された検知手段をさらに備え、
前記変更手段は、前記検知手段が検知した前記テープの幅に応じて前記テープ規制部材の配置位置を自動的に変更する請求項５に記載の紙幣処理装置。
【請求項７】
前記テープセット部にセットした前記テープの幅を入力可能に構成された入力手段をさらに備え、
前記変更手段は、前記入力手段に入力された前記テープの幅に応じて前記テープ規制部材の配置位置を自動的に変更する請求項５に記載の紙幣処理装置。
【請求項８】
前記情報付加手段は、前記テープの幅方向について所定位置に配置されており、
前記テープ供給部は、前記情報付加手段が前記テープの幅方向の中央又は一側寄りの位置に情報を付加するよう、前記テープの幅に応じて前記規制部材の規制位置を変更する請求項２〜７のいずれか１項に記載の紙幣処理装置。
【請求項９】
前記情報付加手段が前記テープに対して情報を付加する位置よりも、前記テープの前記送り方向の下流側の位置には、前記テープを走行させるためのローラが配設されており、
前記ローラのローラ面は、前記テープに付加された情報の位置からずれている請求項２〜８のいずれか１項に記載の紙幣処理装置。
【発明の詳細な説明】
【技術分野】
【０００１】
本発明は、紙幣処理装置に関し、特に紙幣束の所定位置をテープで結束することによって結束紙幣を作成する紙幣処理装置に関する。
【背景技術】
【０００２】
特許文献１には、所定枚数の紙幣の束を結束した小束紙幣を作成すると共に、所定束の小束紙幣を結束した大束紙幣を作成する紙幣結束装置において、小束紙幣用の結束帯（つまり、テープ）の幅と、大束紙幣のテープの幅とを異ならせることが記載されている。
【０００３】
また特許文献２には、正券紙幣の束を結束した正券束と、損券紙幣の束を結束した損券束とで、テープを結束する位置を異ならせたり、結束するテープの数を異ならせたりすることが可能な紙幣処理装置が記載されている。
【先行技術文献】
【特許文献】
【０００４】
【特許文献１】特許第４３０１１８０号公報
【特許文献２】国際公開第２００９／１１００７７号
【発明の概要】
【発明が解決しようとする課題】
【０００５】
ところで、特許文献２にも記載されているように、例えば中国において紙幣束を結束するためのテープの幅は、２０ｍｍに設定されている一方で、米国ではテープの幅は３０ｍｍに設定されている。このように、紙幣束を結束するためのテープ幅は、国によって異なる。
【０００６】
従来、結束紙幣を作成するように構成された紙幣整理機や紙幣結束装置等の紙幣処理装置を製造する際には、仕向け先の国に応じて、当該国に対応するテープ幅が使用できるように個別に製造を行っていた。具体的には、テープリールをセットしたテープセット部から引き出したテープを、紙幣束の結束を行う結束手段に供給するテープ供給部を、仕向け先の国に応じて個別に、設計及び製造を行っていた。
【０００７】
しかしながら近年のグローバル化に伴い、同じ製品を各国に展開することが増え、従来のように仕向け先の国毎に、個別に設計及び製造を行っていたのでは、各国展開をする上で不利である。
【０００８】
ここに開示する技術は、かかる点に鑑みてなされたものであり、その目的とするところは、紙幣束を結束して結束紙幣を作成する紙幣処理装置において、異なる幅のテープに対応可能な構成を実現することにある。
【課題を解決するための手段】
【０００９】
ここに開示する紙幣処理装置は、紙幣束の所定位置をテープで結束することによって結束紙幣を作成するように構成された結束手段と、前記テープがロール状に巻かれたテープリールが回転可能にセットされるように構成されたテープセット部と、前記テープセット部から引き出したテープを、前記結束手段に供給するように構成されたテープ供給部と、を備える。
【００１０】
そして、前記テープ供給部は、前記結束手段に供給する送り方向と、当該送り方向とは逆方向の戻し方向との双方に走行する前記テープの走行位置を、当該テープの幅方向について規制するテープ規制部材を有していて、前記テープセット部にセットされた前記テープの幅に応じて、前記テープ規制部材の規制位置を変更するように構成されている。
【００１１】
この構成によると、紙幣束を結束するためのテープを、テープセット部から結束手段へと供給するためのテープ供給部は、テープの走行位置を、その幅方向について規制するテープ規制部材を有している。テープの走行位置を規制することは、結束手段に対するテープの供給位置を、所定の位置にすることを可能にする。これによってテープは、結束手段に確実に供給される。また、結束手段に供給するテープの位置が所定の位置で変わらないため、その供給されたテープの位置に対し、紙幣束の相対位置を変更することによって、紙幣束に対するテープの結束位置を変更することが可能になる。このことは、例えば紙幣束の正損等に応じて結束位置を変更することに対応可能になる。
【００１２】
そうして、前記の構成では、テープセット部にセットされたテープの幅に応じて、テープ規制部材の規制位置を変更するように構成されている。テープの幅の大きさに拘わらず、テープ供給部でのテープの走行位置を規制することが可能になる。その結果、異なる幅のテープに対応可能な構成が実現する。
【００１３】
前記テープ供給部は、前記テープに対し情報を付加するように構成された情報付加手段をさらに有し、前記情報付加手段は、前記テープ規制部材が前記テープの走行位置を規制している箇所において、前記テープに前記情報を付加する、としてもよい。
【００１４】
ここで、情報付加手段は、走行しているテープに対して物理的に情報を付加する手段であり、テープの表面に印字を行う印字手段（例えばドットプリンタ等）や、テープの表面にスタンプを押すスタンプ手段を例示することができる。
【００１５】
テープ規制部材がテープの走行位置を規制することで、テープは所定の位置を走行することになる。このため、当該箇所において、情報付加手段がテープの情報を付加することは、テープに対して確実に情報を付加することを可能にする。また、テープの幅に応じてテープ規制部材の規制位置を変更することによって、テープの幅の大きさに拘わらず、テープが走行する位置を特定することが可能になる。従って、テープ規制部材がテープの走行位置を規制する箇所において情報を付加する構成は、異なる幅のテープに対応可能にする上で特に有用である。
【００１６】
前記テープ規制部材は、その配置位置を変更可能に構成されており、前記テープ供給部は、前記テープの幅に応じて、前記テープ規制部材を配置する位置を変更する、としてもよい。
【００１７】
こうすることで、テープセット部にセットされるテープの幅に応じて、後述のように異なる種類のテープ規制部材を取り付けるのではなく、同じテープ規制部材を、その配置位置を変更する。このことによって、異なる幅のテープそれぞれについて走行位置を規制することが可能になる。例えば紙幣処理装置の製造時に、当該紙幣処理装置の仕向け先の国に応じて、テープ規制部材の取付位置を変更すればよい。このことは、異なる幅のテープに対する対応を、容易に実現する。
【００１８】
前記テープ規制部材は、各々のテープの幅に対応する複数種類を含んでおり、前記複数種類のテープ規制部材は、前記テープ供給部に対して択一的に取り付け可能に構成され、前記テープ供給部には、前記テープの幅に対応する前記テープ規制部材が取り付けられている、としてもよい。
【００１９】
こうすることで、テープセット部にセットされるテープの幅に応じて、その幅に対応する種類のテープ規制部材を取り付けることによって、異なる幅のテープそれぞれについて、走行位置を規制することが可能になる。
【００２０】
前記テープ供給部は、前記テープ規制部材の配置位置を変更させるよう構成された変更手段をさらに有しており、前記変更手段は、前記テープセット部にセットされた前記テープの幅に応じて、前記テープ規制部材の配置位置を自動的に変更する、としてもよい。
【００２１】
テープ規制部材の配置位置を自動的に変更する機構を含んでいるため、紙幣処理装置の製造時に、当該紙幣処理装置の仕向け先の国に応じた処置を行わなくてもよい。つまり、紙幣処理装置を使用する際に、テープセット部にセットしたテープリールのテープ幅に応じて、テープ規制部材の取付位置が自動的に変更されるようになる。
【００２２】
前記紙幣処理装置は、前記テープセット部にセットされた前記テープの幅を検知するように構成された検知手段をさらに備え、前記変更手段は、前記検知手段が検知した前記テープの幅に応じて前記テープ規制部材の配置位置を自動的に変更する、としてもよい。
【００２３】
こうすることで、紙幣処理装置のオペレータがテープセット部にテープリールをセットすることだけで、テープ規制部材の配置位置が自動的に変更され、ユーザーの利便性が高まる。
【００２４】
前記紙幣処理装置は、前記テープセット部にセットした前記テープの幅を入力可能に構成された入力手段をさらに備え、前記変更手段は、前記入力手段に入力された前記テープの幅に応じて前記テープ規制部材の配置位置を自動的に変更する、としてもよい。
【００２５】
紙幣処理装置のオペレータが、テープセット部にセットしたテープの幅を手入力することによって、テープ規制部材の配置位置が自動的に変更される。
【００２６】
前記情報付加手段は、前記テープの幅方向について所定位置に配置されており、前記テープ供給部は、前記情報付加手段が前記テープの幅方向の中央又は一側寄りの位置に情報を付加するよう、前記テープの幅に応じて前記規制部材の規制位置を変更する、としてもよい。
【００２７】
こうすることで、テープの幅に拘わらず、その幅方向の中央又は一側寄りの位置、つまり、幅方向に対し所定の同じ位置に情報が付加されることになるため、テープに対する情報の付加を、確実にかつ、安定して行うことが可能になる。
【００２８】
前記情報付加手段が前記テープに対して情報を付加する位置よりも、前記テープの前記送り方向の下流側の位置には、前記テープを走行させるためのローラが配設されており、前記ローラのローラ面は、前記テープに付加された情報の位置からずれている、としてもよい。
【００２９】
こうすることで、前述したように、例えば印字やスタンプ等によってテープに対して情報を付加した直後に、ローラ面がテープに付加した情報に触れてしまうことが回避され、ローラ面への転写が防止される。
【発明の効果】
【００３０】
前記の紙幣処理装置によれば、紙幣束の所定位置をテープで結束することによって結束紙幣を作成する紙幣処理装置において、異なる幅のテープに対応することが可能になる。
【図面の簡単な説明】
【００３１】
【図１】紙幣処理装置の外観図である。
【図２】紙幣処理装置の概略構成図である。
【図３】結束スタッカの一部を省略した平面図である。
【図４】紙幣処理装置の概略構成を示すブロック図である。
【図５】テープセット部及びテープ供給部の構成を示す平面図である。
【図６】（ａ）テープが幅広のときのテープ規制部材の配置、（ｂ）テープが幅狭のときのテープ規制部材の配置をそれぞれ示す図である。
【図７】テープセット部及びテープ供給部の変形例を示す図５対応図である。
【図８】テープ規制部材の変形例を示す図である。
【発明を実施するための形態】
【００３２】
以下、実施形態を図面に基づいて詳細に説明する。
【００３３】
〈紙幣処理装置の概略構成〉
図１は、紙幣処理装置１００の外観図を示し、図２は、紙幣処理装置１００の概略構成図を示す。
【００３４】
紙幣処理装置１００は、例えば銀行のテラーカウンタに設置され、オペレータによって使用される。紙幣処理装置１００は、バラ状態の紙幣を取り込み、所定の種類の紙幣を集積し、該紙幣を所定の結束枚数で結束して投出する。
【００３５】
紙幣処理装置１００は、紙幣が載置され、該紙幣を取り込むホッパ部２と、紙幣を識別する識別部３と、結束対象の紙幣を集積する結束スタッカ４と、結束対象でない紙幣を集積する非結束スタッカ５と、リジェクト紙幣を集積するリジェクトスタッカ６と、ホッパ部２から取り込まれた紙幣を、識別部３、結束スタッカ４、非結束スタッカ５及びリジェクトスタッカ６に搬送する前段搬送部７と、結束スタッカ４に集積された紙幣を所定の位置まで搬送する後段搬送部８と、後段搬送部８により搬送された紙幣を結束する結束部９と、結束された紙幣（以下、「結束紙幣」という）を投出する投出部１０と、識別部３、結束スタッカ４、非結束スタッカ５、リジェクトスタッカ６、前段搬送部７、後段搬送部８及び結束部９を収容する箱状の筐体１１とを備えている。
【００３６】
筐体１１は、上面１１１と、下面１１２と４つの側面とを有している。筐体１１は、卓上型である。つまり、筐体１１の下面１１２には、キャスタ等が設けられておらず、卓上に設置される構造となっている。
【００３７】
筐体１１の４つの側面のうちの１つの側面である第１側面１１３には、ホッパ部２及び投出部１０が設けられている。４つの側面のうちの１つの側面である第２側面１１４には、詳しくは後述する結束スタッカ４の第１取出口４６及び非結束スタッカ５の第２取出口５３が設けられている。第１側面１１３と第２側面１１４とは、隣接している。
【００３８】
筐体１１の内部は、紙幣の識別及び分類に関する処理を行う第１処理部１１５と、結束対象の種類の紙幣の結束に関する処理を行う第２処理部１１６とに別れている。第２処理部１１６は、第１処理部１１５の上方に設けられている。第１処理部１１５には、ホッパ部２、識別部３、非結束スタッカ５及びリジェクトスタッカ６が含まれる。第２処理部１１６には、結束スタッカ４、後段搬送部８及び結束部９が含まれる。前段搬送部７の大部分は、第１処理部１１５に含まれている。
【００３９】
結束スタッカ４は、第１結束スタッカ４Ａと第２結束スタッカ４Ｂとの２つのスタッカを含んでいる。第１結束スタッカ４Ａと第２結束スタッカ４Ｂはともに、結束対象の紙幣を集積する。詳しくは後述するが、結束対象の紙幣として集積する紙幣は、適宜設定することができる。結束対象の紙幣は、所定の種類の紙幣である。所定の種類は、金種、正券か損券か、紙幣の表裏、紙幣の向き、新券か旧券かなどによって特定される。ここでは、結束対象の紙幣は、所定の金種（例えば、１００元）であって且つ正券の紙幣である。ここで、識別部３によって正常な紙幣として識別された紙幣を「正常紙幣」と、識別部３で正常な紙幣として識別されなかった紙幣を「異常紙幣」と、斜行や重送等により搬送状態が異常な紙幣を「搬送異常紙幣」と称する。例えば、正常な紙幣か否かを判断する条件の１つとしては、記番号が識別可能であるか否かが挙げられる。ただし、それとは異なる条件をもって正常な紙幣か否かを判断してもよいし、それに別の条件を加えて正常な紙幣か否かを判断してもよい。また、正常紙幣であっても搬送先（結束スタッカ、非結束スタッカ等）が指定されていない種類の紙幣を「指定外紙幣」と称する。「指定外紙幣」、「異常紙幣」及び「搬送異常紙幣」を併せて「リジェクト紙幣」と称する。また、正常紙幣のうち、汚れや破れ等が比較的少ない状態の紙幣を「正券」と、正常紙幣のうち、汚れや破れ等が比較的多い状態の紙幣を「損券」と称する。
【００４０】
第１及び第２結束スタッカ４Ａ，４Ｂは、第２処理部１１６内において上下方向に並んで配置されている。第１結束スタッカ４Ａは、第２結束スタッカ４Ｂの上方に位置している。第１結束スタッカ４Ａと第２結束スタッカ４Ｂとは、同様の構成をしている。２つのスタッカを区別しないときには、単に「結束スタッカ４」と称する。結束スタッカ４の詳細な構成については後述する。
【００４１】
非結束スタッカ５は、第１及び第２非結束スタッカ５Ａ，５Ｂの２つのスタッカを含んでいる。第１及び第２非結束スタッカ５Ａ，５Ｂは、第１処理部１１５内において実質的に水平方向に並んで配置されている。第２非結束スタッカ５Ｂの方が第１非結束スタッカ５Ａよりもホッパ部２に近い位置に配置されている。２つのスタッカを区別しないときには、単に「非結束スタッカ５」と称する。非結束スタッカ５の詳細な構成については後述するが、非結束スタッカ５に集積する紙幣は適宜設定することができる。ここでは、第１非結束スタッカ５Ａは、前記所定の金種であって且つ損券を集積する。第２非結束スタッカ５Ｂは、前記所定の金種以外の金種の紙幣を集積する。
【００４２】
リジェクトスタッカ６は、リジェクト紙幣を集積する。リジェクトスタッカ６は、第１及び第２非結束スタッカ５Ａ，５Ｂよりもホッパ部２に近接している。リジェクトスタッカ６は、第１及び第２非結束スタッカ５Ａ，５Ｂよりも少し上方に位置している。リジェクトスタッカ６の詳細な構成については後述する。
【００４３】
ホッパ部２は、第１側面１１３のうち第１処理部１１５に対応する部分に設けられ、投出部１０は、第１側面１１３のうち第２処理部１１６に対応する部分に設けられている。詳しくは、第１側面１１３の上部と下部の２箇所に窪みが形成され、上部の窪みに投出部１０が設けられ、下部の窪みにホッパ部２が設けられている。投出部１０とホッパ部２との間には段差が形成されている。
【００４４】
ホッパ部２は、紙幣が載置される載置台２１と、載置台２１上に載置された紙幣を案内する２つのガイド部２２，２２と、取込ローラ２３と、紙幣を取り込む取込口２４と、載置台２１上の紙幣を検知する紙幣センサ２５とを有している。本実施形態では、紙幣が短手方向に取り込まれていくように、紙幣がホッパ部２に載置される。
【００４５】
取込口２４は、図１に示すように、載置台２１と第１側面１１３とが交わる隅部に形成されている。載置台２１は、取込口２４に近づくに従って下方に位置するように傾斜している。これにより、載置台２１上の紙幣は、自然と取込口２４の方へ向かうようになっている。載置台２１上に載置された紙幣は、取込口２４から筐体１１内へ取り込まれる。
【００４６】
また、紙幣センサ２５は、取込口２４の近傍に設けられている。紙幣センサ２５は、光を送信する送信部と光を受信する受信部とを有し、送信部から出射されて受信部に到達する光が遮断されることによって紙幣を検知する。尚、後述する紙幣センサ４５、集積センサ５２、集積センサ６２、通過センサ７４、通過センサ１０３も同様の構成をしている。紙幣センサ２５は、載置台２１上に載置された紙幣により光が遮断されるように配置されている。つまり、紙幣センサ２５は、光が遮断されることによって、載置台２１上に紙幣が載置されていることを検知することができる。
【００４７】
ガイド部２２，２２は、その間隔を調整可能に構成されている。つまり、ガイド部２２，２２の間隔は、載置台２１上に載置された紙幣に合わせて調整される。
【００４８】
取込ローラ２３は、キッカローラ２３ａと、フィードローラ２３ｂと、ゲートローラ２３ｃとを有している。キッカローラ２３ａは、部分的に載置台２１から露出しており、載置台２１上の紙幣のうち一番下の紙幣と接触している。キッカローラ２３ａは、載置台２１上に載置された紙幣のうち一番下の紙幣を取込口２４へ送り込む。こうして、紙幣が１枚ずつ取込口２４から取り込まれていく。取込口２４から送り込まれた紙幣は、フィードローラ２３ｂとゲートローラ２３ｃとで１枚ずつに分離されて、筐体１１内へ取り込まれる。取り込まれた紙幣は、前段搬送部７へ送られる。
【００４９】
投出部１０は、結束紙幣が投出される投出口１０１と、投出口１０１から投出された結束紙幣が載置されるステージ１０２と、結束紙幣の投出口１０１の通過を検知する通過センサ１０３とを有している。投出口１０１からは、結束紙幣が紙幣の短手方向に投出される。
【００５０】
ステージ１０２は、投出口１０１から離れるに従って上方に位置するように傾斜している。ステージ１０２は、上下に移動可能に構成されると共に、付勢バネ（図示省略）により上方に付勢されている。ステージ１０２は、結束紙幣が載置されていない状態においては、投出口１０１の直下に位置する。ステージ１０２上に結束紙幣が載置されると、ステージ１０２は、結束紙幣の重さによって下方に移動する。ステージ１０２は、少なくとも、ステージ１０２上の最も上の紙幣が投出口１０１より下方に位置する位置まで移動する。つまり、投出口１０１と同じ高さには結束紙幣が存在していない。そのため、投出口１０１から投出される結束紙幣は、先にステージ１０２上に載置された結束紙幣の上に順次載置されていく。通過センサ１０３は、紙幣センサ２５と同様の構成をしている。通過センサ１０３は、投出口１０１に設けられ、投出口１０１を通過する紙幣を検出する。
【００５１】
前段搬送部７は、搬送ベルト等で構成されている。前段搬送部７は、主搬送路７１と、主搬送路７１から分岐する４つの分岐路７２，７２，…と、主搬送路７１からの分岐箇所に設けられた振り分け機構７３と、紙幣の通過を検知する複数の通過センサ７４とを有している。前段搬送部７は、紙幣をその短手方向に搬送していく。
【００５２】
主搬送路７１は、取込ローラ２３から第１結束スタッカ４Ａまで延びている。４つの分岐路７２，７２，…は、それぞれを区別するときには、上流側から順に第１分岐路７２ａ、第２分岐路７２ｂ、第３分岐路７２ｃ、第４分岐路７２ｄと称する。第１分岐路７２ａは、リジェクトスタッカ６まで延びている。第２分岐路７２ｂは、第２非結束スタッカ５Ｂまで延びている。第３分岐路７２ｃは、第１非結束スタッカ５Ａまで延びている。第４分岐路７２ｄは、第２結束スタッカ４Ｂまで延びている。
【００５３】
振り分け機構７３は、ソレノイド（図示省略）によって駆動される。振り分け機構７３は、主搬送路７１を搬送された紙幣を分岐路７２へ導くか否かを振り分ける。各振り分け機構７３の上流側には、通過センサ７４が設けられている。通過センサ７４は、紙幣センサ２５と同様の構成をしている。つまり、通過センサ７４の受信部における光の受信が中断され、その後に光の受信が再開されたことをもって、紙幣の通過を検知することができる。振り分け機構７３は、紙幣を分岐路７２へ導く際には、その直上流の通過センサ７４が紙幣の通過を検知したことをもって作動する。
【００５４】
識別部３は、主搬送路７１のうち第１分岐路７２ａよりも上流側に設けられている。識別部３は、搬送される紙幣の一枚一枚について、その金種、真偽及び正損を識別するように構成されている。具体的には、識別部３は、ラインセンサ３１及び磁気センサ３２を有し、紙幣の特徴を取得する。識別部３は、紙幣の特徴が、記憶している各種紙幣の特徴と一致するかを判定し、金種、真偽、及び正損を識別する。
【００５５】
尚、識別部３は、紙幣の特徴を取得するためのセンサであれば、ラインセンサ及び磁気センサに限られず、赤外線センサ及び紫外線センサ等のセンサを有していてもよい。ラインセンサ３１は、紙幣に印字されている記番号を光学的に読み取る機能も有している。尚、識別部３におけるセンサ以外の機能を、後で述べる制御部１２０が行ってもよい。
【００５６】
後段搬送部８は、結束スタッカ４に集積された紙幣を把持して、該紙幣を結束が行われる所定の位置まで搬送する。後段搬送部８は、紙幣を把持する搬送ユニット８２と、搬送ユニット８２を水平方向に移動させる水平移動機構８３と、搬送ユニット８２を上下方向に移動させる上下移動機構８４と、搬送された紙幣が載置されるステージ８５と、ステージ８５上の結束紙幣を投出口１０１へ押し出す押出機構８６とを有している。
【００５７】
搬送ユニット８２は、上ハンド部８１ａと下ハンド部８１ｂとを含むハンド部８１と、上ハンド部８１ａを上下方向に移動させる移動機構８７とを有している。移動機構８７は、上ハンド部８１ａを上下方向に移動可能に支持すると共に、駆動モータ及び駆動ベルトによって上ハンド部８１ａを上下方向に移動させる。尚、下ハンド部８１ｂは、移動不能に固定されている。搬送ユニット８２は、上ハンド部８１ａを移動機構８７により上下方向に移動させることによって、上ハンド部８１ａと下ハンド部８１ｂとで紙幣を把持することができる。
【００５８】
水平移動機構８３は、搬送ユニット８２を水平方向であって、結束スタッカ４に近接又は離反する方向に移動可能に支持している。また、水平移動機構８３は、駆動モータ及び駆動ベルトによって搬送ユニット８２を水平方向に移動させる。
【００５９】
上下移動機構８４は、水平移動機構８３を上下方向に移動可能に支持するガイド軸８４ａと、水平移動機構８３をガイド軸８４ａに沿って駆動する駆動ベルト８４ｂとを有している。水平移動機構８３が上下に移動することによって、搬送ユニット８２も上下に移動する。
【００６０】
ステージ８５は、略水平に設けられており、一端部は投出口１０１に繋がっている。結束部９により紙幣を結束する際、該紙幣はステージ８５上に載置される。
【００６１】
押出機構８６は、ステージ８５上の結束紙幣を投出口１０１に向かって押し出すように構成されている。
【００６２】
結束部９は、ステージ８５上の紙幣を結束帯により結束する。具体的には、結束部９は、結束帯を収容する結束帯リール９１と、結束帯リール９１から引き出された結束帯の先端を把持する結束帯止め部９２と、結束帯止め部９２を紙幣周りに旋回させることで結束帯を紙幣に巻回する旋回アーム９３と、紙幣に巻回した結束帯の他端を切断するカッタ９４と、切断された結束帯の他端を熱溶着するヒータ９５とを有している。結束帯止め部９２、旋回アーム９３、カッタ９４及びヒータ９５は、結束手段の一例である。尚、結束部９の構成は、ここで説明した構成には限定されない。結束部９として、例えば結束帯の輪を予め作成し、その輪の中に紙幣束を挿入して結束するような構成を採用することも可能である。
【００６３】
筐体１１の第２側面１１４には、紙幣処理装置１００への情報を入力する操作部であり且つ紙幣処理装置１００の情報を表示する表示部であるタッチパネル１７が設けられている。詳しくは、タッチパネル１７は、第２非結束スタッカ５Ｂの第２取出口５３ｂの上方であって、第２結束スタッカ４Ｂの第１取出口４６の側方に設けられている。タッチパネル１７は、紙幣処理装置１００を操作するオペレータに対するヒューマンインターフェース部分である。
【００６４】
〈結束スタッカ４の詳細構成〉
図３は、結束スタッカ４の一部を省略した平面図である。
【００６５】
結束スタッカ４は、紙幣を積み重ねて集積する。結束スタッカ４は、紙幣を集積する容器４０と、容器４０内に配置され、紙幣が載置されるステージ４１と、搬送されてきた紙幣を容器４０へ搬入する羽根車４２（図２のみに図示）と、後述する第１取出口４６を開閉する扉４３（図１，３で図示）と、集積された紙幣の端部を揃える整列機構４４（図３のみに図示）と、容器４０内の紙幣を検知する紙幣センサ４５（図２のみに図示）とを有している。
【００６６】
容器４０は、紙幣の搬送方向における前側の前壁部４０ａが搬送方向において前後に移動可能に構成されている。前壁部４０ａは、結束対象に設定された紙幣に応じて、その位置が調整される。すなわち、容器４０の搬送方向の寸法が、紙幣の短手方向寸法に応じて調整される。具体的には、容器４０内に搬入される紙幣が前壁部４０ａに当たって、そのまま容器４０の底に落下していき、最終的に紙幣が前壁部４０ａに当接した状態で集積される位置に前壁部４０ａが配置される。また、前壁部４０ａは、上下に開閉するように構成されている。前壁部４０ａは、集積された紙幣を後段搬送部８により搬送する際に開いた状態となる。
【００６７】
また、容器４０は、筐体１１の第２側面１１４に開口している。つまり、第２側面１１４には、結束スタッカ４に集積された紙幣を筐体１１の外部に取り出すための第１取出口４６が設けられている。
【００６８】
扉４３は、結束スタッカ４ごとに個別に設けられている。扉４３は、第１取出口４６を開放する開状態と第１取出口４６を閉鎖する閉状態との間で所定の回転軸回りに回動自在に構成されている。扉４３は、外部から内部を目視可能な材料で構成されている。例えば、扉４３は、透明又は半透明な材料（例えば、ガラスや樹脂）で構成されている。
【００６９】
扉４３は、手動で開閉される。ただし、扉４３には、ロック機構４７（図３にのみ図示）が設けられている。ロック機構４７は、扉４３を閉状態で拘束する拘束状態と、扉４３を開閉自在にする解除状態との間で切換可能に構成されている。具体的には、ロック機構４７は、筐体１１側に設けられたピン４７ａと、ピン４７ａを駆動するソレノイド等を含む駆動機構４７ｂと、扉４３に設けられ、ピン４７ａが係合する被係合部４７ｃとを有している。ロック機構４７は、後述する制御部１２０により、結束スタッカ４ごとに個別に制御される。
【００７０】
扉４３の内側には、紙幣の短辺が当接するストッパ４３ａ（図１では省略）が設けられている。ストッパ４３ａは、外部から内部を目視可能な材料で構成されている。例えば、ストッパ４３ａは、透明又は半透明な材料（例えば、ガラスや樹脂）で構成されている。
【００７１】
羽根車４２は、可撓性を有する複数の羽を有しており、紙幣が容器４０内に搬入されるときに回転駆動される。羽根車４２は、容器４０内に落下する紙幣の、搬送方向後側の端部を叩いて、紙幣の落下を促進させる役割を有している。紙幣が容器４０内に連続的に搬入される場合であっても、後の紙幣が先の紙幣の後端部に入り込むことを防止し、紙幣を１枚ずつ順に上方に積み重ねていくことができる。
【００７２】
整列機構４４は、容器４０において、第１取出口４６とは反対側に設けられている。整列機構４４は、紙幣の搬送方向及び紙幣の集積方向の両方に直交する方向（以下、幅方向という）の紙幣の端部を揃える。本実施形態では、紙幣が短手方向に搬送されるので、幅方向は紙幣の長手方向に相当する。すなわち、整列機構４４は、紙幣の短辺を揃える。整列機構４４は、容器４０の第１取出口４６とは反対側の端部において紙幣の集積方向に延びる回転軸回りに回転自在に設けられたアーム４４ａと、アーム４４ａを回転させるステッピングモータ４４ｂとを有している。整列機構４４は、容器４０内に集積された紙幣の前記幅方向の一端部（即ち、一方の短辺）を該幅方向の扉４３側に向けてアーム４４ａにより押圧することによって紙幣の該幅方向の他端部（即ち、他方の短辺）をストッパ４３ａに当接させる。こうすることによって、容器４０内の紙幣は、ストッパ４３ａに当接した状態に整列させられる。
【００７３】
紙幣センサ４５は、１つの結束スタッカ４につき複数設けられている。本実施形態では、容器４０内において紙幣の搬送方向における異なる位置に２つの紙幣センサ４５が設けられている。各紙幣センサ４５は、容器４０内の紙幣の集積方向に光を送信するように配置されている。つまり、紙幣センサ４５は、光が遮断されることによって、容器４０内に紙幣が存在することを検知することができる。また、搬送方向の異なる位置に２つの紙幣センサ４５を設けることによって、容器４０内において搬送方向における紙幣の位置にばらつきがあったとしても、何れかの紙幣センサ４５により紙幣の存在を検知することができる。尚、紙幣センサ４５は、紙幣の搬送方向及び紙幣の厚み方向の両方に直交する方向（図２における紙面奥行き方向）における異なる位置に複数設けられていてもよい。
【００７４】
〈非結束スタッカ５の詳細構成〉
第１非結束スタッカ５Ａと第２非結束スタッカ５Ｂとは同じ構成であるので、以下では、両者を区別することなく、非結束スタッカ５として説明する。尚、非結束スタッカ５ごとに区別する場合には、第１非結束スタッカ５Ａの構成については符号の最後に「ａ」を、第２非結束スタッカ５Ｂの構成については符号の最後に「ｂ」を付す。
【００７５】
非結束スタッカ５は、紙幣を積み重ねて集積する。非結束スタッカ５は、紙幣を集積する容器５０と、搬送されてきた紙幣を容器５０内へ搬入する羽根車５１と、紙幣の有無を検知する集積センサ５２とを有している。
【００７６】
非結束スタッカ５の容器５０の底部は、傾斜している。これにより、容器５０へ搬入された紙幣は、底部の低い方の端部へ集まる。
【００７７】
集積センサ５２は、容器５０の底部の低い方の端部に設けられている。集積センサ５２は、紙幣センサ２５と同様の構成をしており、光が遮断されることによって容器５０内の紙幣を検知する。集積センサ５２は、容器５０内の紙幣により光が遮断されるように配置されている。
【００７８】
羽根車５１は、複数の羽を有しており、搬送されてきた紙幣を羽の間で保持して、容器５０内へ搬入する。紙幣は、容器５０の底部近傍において羽根車５１の羽から離脱し、容器５０内に集積される。
【００７９】
容器５０は、筐体１１の第２側面１１４に開口している。すなわち、第２側面１１４には、非結束スタッカ５に集積された紙幣を筐体１１の外部に取り出すための第２取出口５３が設けられている。第２取出口５３には、扉が設けられておらず、開放されている。第１非結束スタッカ５Ａの第２取出口５３ａと第２非結束スタッカ５Ｂの第２取出口５３ｂとは、第２側面１１４において水平方向に並んで開口している。
【００８０】
また、非結束スタッカ５には、集積された紙幣を第２取出口５３の方へ押し出すための押出機構５４が設けられている。押出機構５４は、容器５０の奥側（第２取出口５３と反対側）に設けられており、奥側から手前側（第２取出口５３の側）に紙幣を押し出すように構成されている。
【００８１】
〈リジェクトスタッカ６の詳細構成〉
リジェクトスタッカ６は、紙幣を積み重ねて集積する。リジェクトスタッカ６は、紙幣を集積する容器６０と、搬送されてきた紙幣を容器６０内へ搬入する羽根車６１と、紙幣の有無を検知する集積センサ６２と、容器６０内の紙幣が外部へ排出されることを防止するストッパ６４，６４とを有している。
【００８２】
詳しくは、リジェクトスタッカ６の容器６０は、筐体１１の第１側面１１３及び第２側面１１４に開口している。すなわち、第１側面１１３及び第２側面１１４には、リジェクトスタッカ６に集積された紙幣を筐体１１の外部に取り出すためのリジェクト取出口６３が設けられている。リジェクト取出口６３は、第１側面１１３において、取込口２４の上方であって、投出口１０１の下方に開口している。詳しくは、リジェクト取出口６３は、ホッパ部２と投出部１０との間の段差の直下に開口している。リジェクト取出口６３には、扉が設けられておらず、開放されている。
【００８３】
容器６０の底部は、第１側面１１３から離れるに従って下方に位置するように傾斜している。そのため、容器６０内の紙幣は、第１側面１１３から内側へ入り込んだ位置に集積されていく。これにより、容器６０内に搬入された紙幣が、そのまま第１側面１１３のリジェクト取出口６３から外部へ排出されることを防止することができる。
【００８４】
さらに、２つのストッパ６４，６４は、容器６０の底部のうち、第１側面１１３側の端縁に設けられている。ストッパ６４は、底部の第１側面１１３側の端縁と平行に延びる軸回りに回動自在に支持されると共に、付勢バネ（図示省略）で付勢されて、容器６０の底部に対して立ち上がった状態となっている。これらストッパ６４，６４によっても、容器６０内の紙幣が第１側面１１３のリジェクト取出口６３から外部へ排出されることを防止することができる。尚、リジェクトスタッカ６に集積された紙幣をリジェクト取出口６３から抜き出すときには、ストッパ６４，６４を付勢バネの弾性力に抗して倒すことによって、紙幣を抜き出すことができる。
【００８５】
羽根車６１は、可撓性を有する複数の羽を有しており、容器６０内に落下する紙幣の、搬送方向後側の端部を叩き落とす役割を有している。紙幣が容器６０内に連続的に搬入される場合であっても、後の紙幣が先の紙幣の後端部に入り込むことを防止し、紙幣を１枚ずつ順に上方に積み重ねていくことができる。
【００８６】
集積センサ６２は、紙幣センサ２５と同様の構成をしており、光が遮断されることによって容器６０内の紙幣を検知する。集積センサ６２は、容器６０内の紙幣により光が遮断されるように配置されている。
【００８７】
〈紙幣処理装置のシステム構成〉
図４は、紙幣処理装置１００の概略構成を示すブロック図である。
【００８８】
紙幣処理装置１００は、例えば周知のマイクロコンピュータをベースとした制御部１２０を備えている。制御部１２０には、前述したホッパ部２、識別部３、結束スタッカ４、非結束スタッカ５、リジェクトスタッカ６、前段搬送部７、後段搬送部８、結束部９、投出部１０及びタッチパネル１７が、信号の送受信可能に接続されている。また、制御部１２０には、紙幣センサ２５、紙幣センサ４５、集積センサ５２、集積センサ６２、通過センサ７４及び通過センサ１０３が接続され、それらの検出信号が入力されるように構成されている。制御部１２０は、タッチパネル１７からの入力信号及び各種センサからの検知信号等に基づいて制御信号を生成し、ホッパ部２等へ該制御信号を出力する。ホッパ部２等は、その制御信号に従って動作する。例えば、結束スタッカ４を例に挙げると、容器４０の前壁部４０ａ、ステージ４１、羽根車４２、扉４３のロック機構４７、及び整列機構４４のステッピングモータ４４ｂが制御部１２０により制御される。
【００８９】
〈紙幣処理装置の動作説明〉
以下、紙幣処理装置１００の入金処理について説明する。入金処理においては、バラ状態の紙幣が分類され、所定のスタッカに集積され、さらには、所定の紙幣については結束される。以下では、結束対象の所定の一種類の紙幣を第１及び第２結束スタッカ４Ａ，４Ｂに所定枚数ずつ交互に集積し、該所定枚数集積した紙幣を順次、結束部９により結束する同一種類結束処理について説明する。
【００９０】
紙幣処理装置１００は、テラーカウンタ上であって、オペレータがテラーカウンタを挟んで顧客と正対したときにオペレータの少し左側（顧客の右側）に設置される。このとき、紙幣処理装置１００は、筐体１１の第１側面１１３が顧客の方を向くように設置される。この状態においては、筐体１１の第２側面１１４は、オペレータの方を向いている。ただし、紙幣処理装置１００はオペレータの少し左側に位置するので、顧客も第２側面１１４を視認することができる。
【００９１】
以下では、結束対象の紙幣を第１及び第２結束スタッカ４Ａ，４Ｂに所定枚数ずつ交互に集積し、該所定枚数集積した紙幣を順次、結束部９により結束する連続結束処理について説明する。
【００９２】
まず、オペレータは顧客から入金すべきバラ状態の紙幣を受け取り、該紙幣をホッパ部２へ載置する。このとき、バラ状態の紙幣に複数種類の紙幣が混在していたとしても、それらを分類することなく、ホッパ部２へ載置する。オペレータは、紙幣の寸法に合わせて、ガイド部２２を調整する。続いて、オペレータは、タッチパネル１７を操作して、紙幣の取込を開始する。尚、紙幣センサ２５がホッパ部２への紙幣の載置を検知すると、紙幣処理装置１００が自動的に紙幣の取込を開始するようにしてもよい。
【００９３】
ホッパ部２に載置された紙幣は、取込ローラ２３が作動することにより１枚ずつ取込口２４から、筐体１１内へ取り込まれていく。取り込まれた紙幣は、前段搬送部７により搬送され、識別部３を通過する。識別部３は、通過する紙幣の紙幣種別を取得し、その紙幣種別を制御部１２０へ通知する。
【００９４】
制御部１２０は、紙幣の種類に応じて、紙幣に対応する搬送先を決定する。具体的には、紙幣が結束対象の所定金種の紙幣であって且つ正券紙幣であるときには、制御部１２０は、搬送先を結束スタッカ４（４Ａ及び４Ｂの何れか一方）とする。紙幣が結束対象の所定金種の紙幣であって且つ損券紙幣であるときには、制御部１２０は、搬送先を第１非結束スタッカ５Ａとする。紙幣が所定金種以外の金種の紙幣であるときには、制御部１２０は、搬送先を第２非結束スタッカ５Ｂとする。紙幣がリジェクト紙幣であるときには、制御部１２０は、搬送先をリジェクトスタッカ６とする。
【００９５】
制御部１２０は、紙幣が搬送先となるスタッカに搬送されるように前段搬送部７を制御する。具体的には、制御部１２０は、搬送先となるスタッカへ繋がる分岐路７２に対応する振り分け機構７３を該紙幣が主搬送路７１から該分岐路７２へ導かれるように制御する。制御部１２０は、該分岐路７２の直前の通過センサ７４が紙幣を検知したときに、該振り分け機構７３を切り替える。さらに、制御部１２０は、搬送先となるスタッカの羽根車４２又は羽根車５１を制御して、紙幣をスタッカ内に搬入する。
【００９６】
結束スタッカ４に搬送される紙幣は、２つの結束スタッカ４のうち一方の結束スタッカ４へ搬送される。一方の結束スタッカ４に集積された紙幣の枚数が所定の結束枚数（例えば、１００枚）に達すると、それ以降の紙幣は、他方の結束スタッカ４へ搬送される。ここでは、紙幣がまず第１結束スタッカ４Ａへ搬送されるものとする。
【００９７】
第１結束スタッカ４Ａにおいては、紙幣が搬送されてくると、羽根車４２の回転によって、紙幣が１枚ずつ上方に重ねられていく。容器４０内に搬入された紙幣は前壁部４０ａに当接することによって、それぞれの長辺が揃った状態となる。
【００９８】
第１結束スタッカ４Ａに集積された紙幣が結束枚数に達すると、制御部１２０は、整列機構４４を作動させて、紙幣の短辺を揃える。尚、制御部１２０は、容器４０内に紙幣が搬入される度に整列機構４４を作動させて、紙幣の短辺を揃えるようにしてもよい。次に、制御部１２０は、後段搬送部８を制御し、ハンド部８１により第１結束スタッカ４Ａ内の紙幣を把持し、該紙幣をステージ８５へ搬送する。その後、制御部１２０は、結束部９を制御して、ステージ８５上の紙幣を結束帯で結束する。
【００９９】
尚、第１結束スタッカ４Ａに集積された紙幣が結束枚数に達すると、それ以降の紙幣は第２結束スタッカ４Ｂに集積される。その後、第２結束スタッカ４Ｂに集積された紙幣が結束枚数に達したときには、それ以降の紙幣は再び第１結束スタッカ４Ａに集積されるようになる。このときまでには、第１結束スタッカ４Ａ内の紙幣の結束処理が完了しているので、第１結束スタッカ４Ａ内は空の状態になっている。このように、２つの結束スタッカ４を設けることによって、紙幣の集積を連続して行いつつ、結束処理を行うことができる。
【０１００】
続いて、制御部１２０は、押出機構８６によりステージ８５上の結束紙幣を押し出して、投出口１０１からステージ１０２上へ投出する。結束紙幣がステージ１０２へ投出されると、ステージ１０２は、結束紙幣の重さにより、投出口１０１の水平方向外側に結束紙幣が位置しない位置まで沈み込む。こうして、ステージ１０２は、次の結束紙幣の投出に備える。
【０１０１】
所定金種の紙幣であって且つ損券紙幣は、第１非結束スタッカ５Ａへ搬送される。第１非結束スタッカ５Ａにおいては、紙幣が搬送されてくると、羽根車５１ａの回転によって、紙幣を容器５０ａ内に積み重ねていく。こうして、所定金種の紙幣であって且つ損券紙幣は、第１非結束スタッカ５Ａに集積される。同様に、所定金種以外の金種の紙幣は、第２非結束スタッカ５Ｂへ搬送され、第２非結束スタッカ５Ｂに集積される。リジェクト紙幣も、リジェクトスタッカ６へ搬送され、リジェクトスタッカ６に集積される。
【０１０２】
以上の処理が、ホッパ部２に載置された紙幣が無くなるまで続けられる。ホッパ部２の紙幣の有無は、紙幣センサ２５によって検知される。
【０１０３】
ホッパ部２に載置された紙幣の処理が完了すると、リジェクト紙幣の取込及び識別を再度行う。つまり、オペレータは、リジェクト紙幣をリジェクトスタッカ６から抜き出して、ホッパ部２へ載置し、再び取込を行う。リジェクト紙幣は、何らかの理由で正常な紙幣として識別されなかった紙幣であるので、再び取込及び識別を試みる。それでも尚、リジェクト紙幣として識別される紙幣は、再びリジェクトスタッカ６に集積される。オペレータは、再び集積された紙幣を顧客に返却する。
【０１０４】
尚、第１及び第２非結束スタッカ５Ａ，５Ｂに集積された紙幣については、再度の取込を行わない。
【０１０５】
こうして、ホッパ部２に載置された紙幣の処理とリジェクト紙幣の再処理が完了すると、同一種類結束処理が完了し、顧客から渡された入金すべき紙幣の計数及び分別が終了する。タッチパネル１７には、計数された金額が表示される。オペレータは、顧客からその金額の承認を得るか、又は、その金額と顧客が記載した入金伝票に記載された金額との一致を確認すると、タッチパネル１７により入金額の確定操作を行う。確定操作が行われると、確定した入金額が上位装置（図示省略）へ通知され、入金処理が完了する。
【０１０６】
入金処理の完了後は、オペレータは、投出部１０に集積されている結束紙幣、結束スタッカ４に集積されている紙幣及び非結束スタッカ５に集積されている紙幣を取り出して所定の収納場所に収納する。
【０１０７】
以上の処理により、複数種類の紙幣が混在し且つバラ状態であった紙幣は、所定金種の正券紙幣と、所定金種の損券紙幣と、所定金種以外の金種の紙幣と、リジェクト紙幣とに分類され、所定金種の正券紙幣については結束枚数ごとに結束された状態となる。
【０１０８】
以上の説明では、第１及び第２結束スタッカ４Ａ，４Ｂには、所定の金種であって正券の紙幣が集積され、第１非結束スタッカ５Ａには、所定の金種であって損券の紙幣が集積され、第２非結束スタッカ５Ｂには、所定の金種以外の金種の紙幣が集積される。
【０１０９】
しかしながら、紙幣処理装置１００は、第１及び第２結束スタッカ４Ａ，４Ｂ並びに第１及び第２非結束スタッカ５Ａ，５Ｂに集積する紙幣を適宜設定することができるように構成されている。
【０１１０】
〈結束部におけるテープ供給構造〉
次に、結束部９における結束帯（以下においては、テープと称する）の供給構造について、図５、６を参照しながら説明する。前述した結束部９の結束帯リール９１は、テープ９０をロール状に巻いて構成されており（つまり、テープリール９１）、結束部９は、テープリール９１を、上下方向に延びる回転軸周りに回転可能にセットするテープセット部９１０と、テープリール９１から引き出したテープ９０を、結束帯止め部９２（つまり、結束手段）に供給するテープ供給部９２０と、をさらに備えている。
【０１１１】
テープセット部９１０は、テープリール９１が載置されるリール台９１１と、リール台９１１に対して、ベルトにより駆動連結されるリールモータ９１２とを備えている。リールモータ９１２が駆動することによって、リール台９１１上のテープリール９１は、テープ９０を繰り出す方向である正転方向（図５の反時計回り方向）、及び、テープ９０を巻き取る方向である逆転方向（図５の時計回り方向）に回転をする。
【０１１２】
テープセット部９１０はまた、テープリール９１に巻かれているテープ９０が無くなったことを検知するエンプティセンサ９３０を備えている。エンプティセンサ９３０は、テープリール９１の外周面に当接するように付勢されることで、テープリール９１のテープ９０の量に応じて、上下方向に延びる軸周りに回動する検出レバー９３１と、その検出レバー９３１が、図５に一点鎖線で示すように、テープ９０が無くなる位置にまで回動したことを検知するリミットスイッチ９３２と、を備えて構成されている。リミットスイッチ９３２は、図５では図示を省略する制御部１２０に接続されており、検知信号を制御部１２０に出力する。
【０１１３】
テープ供給部９２０は、テープリール９１から引き出したテープ９０の走行方向を変換する変換ローラ９２１と、変換ローラ９２１よりも走行方向の下流側で、結束手段に供給するテープ９０の走行位置を規制するテープ規制部材９２２と、テープ９０を走行させるための搬送機構９２３と、テープ９０に対して情報を付加する情報付加手段９２４、９２５と、を少なくとも備えている。
【０１１４】
テープ規制部材９２２は、結束帯止め部９２に向かって走行するテープ９０の幅方向の両側それぞれにおいて、テープの走行方向に延びて配置されかつ、テープ９０の幅方向の各側部を案内する一対の規制片９２２１、９２２１を有している。各規制片９２２１は、その長手方向の両端部それぞれに設けられたねじ穴にねじが挿入されることで、基板９０１に対して取り付け固定されている。各規制片９２２１に設けられたねじ穴は、図５から明らかなように、テープ９０の幅方向に延びる長孔に構成されている。この構成により、各規制片９２２１、９２２１は、その取付位置をテープ９０の幅方向に変更することが可能にされている。各規制片９２２１、９２２１の取付位置を変更することにより、規制片９２２１、９２２１の間隔が変更される。テープ規制部材９２２が、テープ９０の走行位置を規制することにより、結束手段（つまり、結束帯止め部９２）に対するテープ９０の供給位置を、テープ９０の幅の大きさに拘わらず一定の位置に維持することが可能になる。
【０１１５】
搬送機構９２３は、一対の規制片９２２１、９２２１に対して軸支された第１ローラ９２３１及び第２ローラ９２３２と、第１及び第２ローラ９２３１、９２３２を駆動する搬送モータ９２３３と、を備えている。第１ローラ及び第２ローラ９２３１、９２３２は共に、詳細な図示は省略するが、テープ９０を厚み方向に挟んで駆動するローラ対である。また、第１ローラ及び第２ローラ９２３１、９２３２は、前述したように、規制片９２２１の取り付け位置が変更されて、一対の規制片９２２１、９２２１の間隔が変更された場合であっても、この一対の規制片９２２１、９２２１に常に軸支されるように、そのローラ軸の長さが設定されている。第１及び第２ローラ９２３１、９２３２は、ベルト９２３４によって互いに駆動連結されていると共に、第１ローラ９２３１は、搬送モータ９２３３に対し、ベルト９２３５によって駆動連結されている。搬送モータ９２３３を、テープセット部９１０のリールモータ９１２と同期して駆動することにより、テープリール９１から引き出したテープ９０を、一対の規制片９２２１、９２２１の間で、結束帯止め部９２に供給する送り方向（図５の紙面左から右の方向）と、その送り方向とは逆方向の戻し方向との双方に走行させることができる。
【０１１６】
情報付加手段９２４、９２５は、金融機関名、結束した日付、正損別等の、結束する紙幣束に関する情報等を、テープ９０に付加する手段である。この内、情報付加手段９２４は、走行しているテープ９０の上面に印字を行う印字手段としてのワイヤドットプリンタ９２４であり、情報付加手段９２５は、同じく走行しているテープ９０の上面に、スタンプを押すスタンプ機構９２５である。
【０１１７】
ワイヤドットプリンタ９２４は、図５では理解容易のために、その一部のみを仮想的に示しているが、第１ローラ及び第２ローラの間に配設されている。ワイヤドットプリンタ９２４は、一対の規制片９２２１、９２２１によって走行位置が規制されながら、送り方向に走行しているテープ９０に対し印字を行う。ワイヤドットプリンタ９２４は、図５、６に破線で示すように、テープ９０の幅方向の中央位置に印字を行うように構成されている。ワイヤドットプリンタ９２４は、基板９０１に対して固定されている。
【０１１８】
ここで、ワイヤドットプリンタ９２４に対し、テープ９０の送り方向の下流側に位置する第２ローラ９２３２には、テープ９０の印字部分に触れないように、その中央部に凹部が設けられている。これにより、第２ローラ９２３２に、テープ９０の印字内容が転写されてしまうことが回避される。尚、第２ローラ９２３２に凹部を設ける代わりに、第２ローラを、テープ幅方向の両側に位置する分割構造としてもよい。
【０１１９】
スタンプ機構９２５は、図５では理解容易のために、その一部のみを仮想的に示しているが、第２ローラ９２３２よりもテープ９０の送り方向の下流側に配設されている。スタンプ機構９２５は、ワイヤドットプリンタ９２４と同様に、一対の規制片９２２１、９２２１によって走行位置が規制されながら、送り方向に走行しているテープ９０に対しスタンプを押す。スタンプ機構９２５は、図５、６に破線で示すように、テープ９０の幅方向の中央位置にスタンプを押すように構成されている。スタンプ機構９２５は、基板９０１に対して固定されている。
【０１２０】
このスタンプ機構９２５よりも、テープ９０の送り方向の下流側には、送りローラ９２６が配置されている。送りローラ９２６にも、第２ローラ９２３２と同様に、その中央部に凹部が設けられている。これによって、送りローラ９２６に、テープ９０に押したスタンプが転写されてしまうことが回避される。尚、この送りローラも、凹部を設ける代わりに、テープの幅方向の両側に位置する分割構造としてもよい。
【０１２１】
このように構成されたテープ供給構造では、前述の通り、テープ供給部９２０のテープ規制部材９２２を構成する一対の規制片９２２１、９２２１が、取り付け位置を変更することによって、その間隔を変更可能に構成されている。この一対の規制片９２２１、９２２１の間隔は、テープセット部９１０にセットされるテープ９０の幅に応じて変更される。具体的に、例えば図６（ａ）に示すように、相対的に幅の広い（Ｗ１）のテープ９０が、テープセット部９１０にセットされたときには、一対の規制片９２２１、９２２１の間隔が広くなるように、各規制片９２２１を基板９０１に取り付ける。このときに、一対の規制片９２２１、９２２１の取り付け位置は、幅広のテープ９０の幅方向の中央に、印字やスタンプが押されるような位置に設定される。
【０１２２】
一方、例えば図６（ｂ）に示すように、相対的に幅の狭い（Ｗ２＜Ｗ１）のテープ９０が、テープセット部９１０にセットされたときには、一対の規制片９２２１、９２２１の間隔が狭くなるように、各規制片９２２１を基板９０１に取り付ける。このときの一対の規制片９２２１、９２２１の取り付け位置も、幅狭のテープ９０の幅方向の中央に、印字やスタンプが押されるような位置に設定される。このように、一対の規制片９２２１、９２２１によって構成されるテープ規制部材９２２は、テープ９０の幅が変更された場合でも、その規制片９２２１の取り付け位置を変更することによって対応可能であると共に、テープ９０の幅に拘わらず、印字位置やスタンプ位置を、テープ９０の幅方向の中央に設定することを可能にする。
【０１２３】
従って、紙幣処理装置１００の仕向け先の国に従い、当該国で使用されるテープ９０の幅に応じて、紙幣処理装置１００の製造時に、規制片９２２１の取り付けの位置を調整すればよい。このように、規制片９２２１の取り付け位置の調整だけで各国への対応が可能になる。
【０１２４】
また、テープ規制部材９２２によってテープ９０の走行位置を規制している箇所において、ワイヤドットプリンタ９２４及びスタンプ機構９２５が、テープ９０に対して印字及びスタンプを行うことと、テープ規制部材９２２が、テープの幅方向の中央に印字やスタンプが押されるよう、テープ９０の走行位置を規制していることとが組み合わせることによって、テープ９０に対する情報付加を、テープ９０の幅の大きさに拘わらず、安定的にかつ確実に行うことが可能になる。
【０１２５】
さらに、テープ規制部材９２２によって、異なる幅のテープ９０の走行位置を、それぞれ規制し、結束帯止め部９２に対するテープ９０の供給位置を所定位置に維持しているから、紙幣束を結束する際に、テープ９０の供給位置に対する、ステージ８５上の紙幣束の相対位置を調整することによって、結束位置を変更することが可能になる。このことは、例えば紙幣束の正損等に応じて結束位置を変更することに対応可能になる。
【０１２６】
〈テープ供給構造に関する変形例〉
図７は、テープ供給構造に関する変形例を示している。図５に示すテープ供給構造に実質的に対応する構成については、同じ符号を付して、その説明を省略する場合がある。この変形例は、テープセット部９１０にセットしたテープ９０の幅に応じて、テープ規制部材９２２の規制片の間隔が自動的に変更するように構成されている。
【０１２７】
この変形例では、テープセット部９１０にセットされたテープリール９１のテープ幅を検出する幅検知手段９２７が設けられている。幅検知手段９２７は、水平方向に延びる軸周りに回動すると共に、新品のテープリール９１、つまり、所定の外径を有するテープリール９１の外周縁における上端に当接する検出レバー９２７１と、その検出レバー９２７１の回動角度を検知することによって、テープリール９１のテープ幅を検知するロータリーエンコーダ９２７２とを備えて構成されている。つまり、この幅検知手段９２７は、水平方向に対する、検出レバー９２７１の回動角度が大きいほどテープ幅が広いことを検知し、回動角度が小さいほどテープ幅が狭いことを検知する。幅検知手段９２７は、回動角度に対応する信号を制御部１２０に出力する。検出レバー９２７１とロータリーエンコーダ９２７２とを含む幅検知手段９２７は、検知手段の一例である。
【０１２８】
この変形例において、テープ供給部９２０は、テープ規制部材９２２が、一対の規制片を備えているものの、そのうちの一方の規制片（図７における紙面下側の規制片）は、基板９０１に対し移動不能に固定されている固定片９２２２である。これに対し、他方の規制片（図７における紙面上側の規制片）は、基板９０１に対して移動可能に取り付けられている可動片９２２３である。具体的に、可動片９２２３は、後述するカム９２２８に当接する当接部９２２４が一体に設けられている。この当接部９２２４に、それぞれテープ９０の幅方向に延びる２つの長孔９２２５、９２２５が、テープ９０の走行方向に並んで形成されている。各長孔９２２５には、基板９０１に固定されたピン９２２６が内挿される。この構成により、可動片９２２３は、ピン９２２６が長孔９２２５に係合した状態で、テープ９０の幅方向に平行に移動することが可能である。可動片９２２３はまた、当接部９２２４を挟んだ両側それぞれに引っ張りばね９２２７、９２２７の一端が取り付けられており、各引っ張りばね９２２７の他端が基板９０１に対して固定されることで、可動片９２２３は、固定片９２２２に対して離間する方向に付勢されている。
【０１２９】
可動片９２２３の当接部９２２４は、その先端面がカム９２２８に当接する部分である。一方、カム９２２８は、円盤が偏心軸に取り付けられた円盤カムであり、円盤カム９２２８の回動位置が変化することに伴い、固定片９２２２に対して離間する方向に付勢されている可動片９２２３が、固定片９２２２の側に押される。このことで、図７に矢印で示すように、固定片９２２２と可動片９２２３との間隔が変更する。円盤カム９２２８は、変更手段の一例である。円盤カム９２２８の回動位置は、制御部１２０によって制御される。つまり、幅検知手段９２７によって検知されるテープ幅に対応付けられて、円盤カム９２２８の回動位置が予め設定されており、制御部１２０は、幅検知手段９２７の検知結果に応じて円盤カム９２２８の回動位置を変更する。このことにより、固定片９２２２と可動片９２２３との間隔を、テープセット部９１０にセットされたテープ９０の幅に対応する間隔にする。この変形例に係る構成では、テープセット部９１０にセットしたテープリール９１のテープ幅に応じて、テープ供給部９２０におけるテープ規制部材９２２の間隔が自動的に変更されるため、紙幣処理装置の製造時に、仕向け先の国に応じた変更は不要になる。つまり、紙幣処理装置１００の使用時に、オペレータがテープリール９１をテープセット部９１０にセットすることだけで、テープ規制部材９２２の間隔が自動的に変更される。
【０１３０】
尚、この構成では、固定片９２２２の位置を固定した上で、テープ９０の幅に応じて可動片９２２３の位置を変更するため、テープ９０の幅方向の中央と、ワイヤドットプリンタ９２４の印字位置及びスタンプ機構９２５のスタンプ位置との相対的な位置は、テープ９０の幅の大きさに応じて変化することになる。つまり、ワイヤドットプリンタ９２４の印字位置及びスタンプ機構９２５のスタンプ位置を、相対的に幅の狭いテープ９０における幅方向中央に設定した場合は、相対的に幅の広いテープ９０をテープセット部９１０にセットしたときに、印字位置やスタンプ位置は、その幅広のテープ９０の中央からずれることになる。但し、印字位置やスタンプ位置の、テープ９０の幅方向の一側（つまり、固定片９２２２）の縁部から距離は、テープ９０の幅の大きさに拘わらず一定になる。
【０１３１】
尚、図示は省略するが、ワイヤドットプリンタ９２４の印字位置やスタンプ機構９２５のスタンプ位置を、可動片９２２３の移動量に同期して変更するように構成してもよい。この構成は、印字位置及びスタンプ位置を、テープ９０の幅の大きさに拘わらずテープ９０の幅方向の中央にすることを可能にする。
【０１３２】
図８は、一対の規制片の間隔を自動的に変更する構成についての変形例を示している。この変形例では、一対の規制片のそれぞれが、前述した可動片９２２３と同様に、テープの幅方向に移動可能な可動片９２２３に構成されている。つまり、各可動片９２２３には、それぞれテープの幅方向に延びる２つの長孔９２２５、９２２５が、テープ９０の走行方向に並んで形成されている。各長孔９２２５には、基板９０１に固定されたピン９２２６が内挿される。こうして、各可動片９２２３は、ピン９２２６が長孔９２２５に係合した状態で、テープ９０の幅方向に平行に移動することが可能である。一対の可動片９２２３はまた、長孔９２２５とピン９２２６との係合箇所を挟んで、テープ９０の走行方向に所定間隔を空けて配置された２つの引っ張りばね９２２７、９２２７によって互いに連結されており、この２つの引っ張りばね９２２７、９２２７は、一対の可動片９２２３、９２２３を互いに近接する方向に付勢している。
【０１３３】
一対の可動片９２２３の間には、楕円形に構成されたカム９２２８が配設されている一方で、各可動片９２２３には、このカム９２２８に当接する当接部９２２９が固定されている。カム９２２８の回動位置が変化することに伴い、互いに近接する方向に付勢されている一対の可動片９２２３、９２２３が、互いに離れる方向の押されるようになり、このことで、一対の可動片９２２３、９２２３の間隔が変更する。カム９２２８の回動位置も、図８では図示を省略する制御部１２０によって制御され、制御部１２０は、幅検知手段９２７の検知結果に応じてカム９２２８の回動位置を変更することにより、一対の可動片９２２３、９２２３の間隔を、テープセット部９１０にセットしたテープ９０の幅に対応する間隔にする。
【０１３４】
この構成では、テープ９０の幅方向の両側に位置する一対の可動片９２２３、９２２３を近接させたり、離間させたりして、その間隔を変更するため、走行しているテープ９０の幅方向の中央位置を、テープ９０の幅の大きさに拘わらず一定の位置に維持することが可能になる。このため、テープ９０の幅方向に大きさに拘わらず、印字やスタンプを、テープ９０の幅方向の中央に行うことが可能になる。
【０１３５】
図７、８に示す構成では、テープセット部９１０にセットしたテープ９０の幅を、幅検知手段９２７が検知するようにしているが、この幅検知手段９２７を省略する一方で、テープセット部９１０にセットしたテープ９０の幅を、オペレータが手入力するようにしてもよい。例えば、図示は省略するが、タッチパネル１７に、テープセット部９１０にセットしているテープ９０の幅を入力する画面を表示し、オペレータが、タッチパネル１７を操作することによって、テープ９０の幅を入力するようにしてもよい。タッチパネル１７は、入力手段の一例である。この構成では制御部１２０は、手入力されたテープ９０の幅に応じて、カム９２２８の回動位置を調整することで、テープ規制部材９２２の間隔を、テープ９０の幅に対応する間隔に変更することが可能になる。このようなテープ幅の手入力は、例えば紙幣処理装置１００を設置する初期設定時に行えばよい。
【０１３６】
尚、前記の構成では、テープ規制部材９２２の配設位置を変更可能に構成しているが、これとは異なり、テープ幅に応じた複数種類のテープ規制部材を予め用意しておき、紙幣処理装置１００の製造時に、仕向け先の国に対応するテープ規制部材を組み付けるようにしてもよい。また、テープ規制部材だけでなく、ワイヤドットプリンタ等を含めたテープ供給部の全体をユニット化すると共に、そのユニットを、テープ幅に応じて複数種類用意しておいてもよい。この場合、紙幣処理装置の製造時には、仕向け先の国に対応するユニットを組み付けることになる。
【０１３７】
尚、前述した各構成は、可能な範囲で組み合わせることが可能である。例えば図５、６に示す構成において、図７に示す構成の一部を組み合わせてもよい。すなわち、図５、６に示す構成において、一対の規制片９２２１の内のいずれか一方のみを、その取付位置が変更可能となるように構成してもよい。
【０１３８】
また、ここに開示する技術は、前述した構成の紙幣処理装置１００に適用する他にも、様々な構成の紙幣処理装置に適用することが可能である。つまり、紙幣を分類しながら計数する紙幣整理機や、紙幣を結束する結束装置等に、この技術を適用してもよい。
【符号の説明】
【０１３９】
１００    紙幣処理装置
１２０    制御部
１７      タッチパネル（入力手段）
９０  テープ
９１０  テープセット部
９２  結束帯止め部（結束手段）
９２０  テープ供給部
９２２  テープ規制部材
９２２８  カム（変更手段）
９２３２  第２ローラ（ローラ）
９２４  ワイヤドットプリンタ（情報付加手段）
９２５  スタンプ機構（情報付加手段）
９２６  送りローラ（ローラ）
９２７  幅検知手段
９３  旋回アーム（結束手段）
９４  カッタ（結束手段）
９５  ヒータ（結束手段）
【図１】
2014182486.tif 000003
【図２】
2014182486.tif 000004
【図３】
2014182486.tif 000005
【図４】
2014182486.tif 000006
【図５】
2014182486.tif 000007
【図６】
2014182486.tif 000008
【図７】
2014182486.tif 000009
【図８】
2014182486.tif 000010